(57)【要約】【課題】  水中のダイバ全員の意志連絡装置を提供する。【解決手段】  水中音声放送及び文字表示装置において、ダイバは、常用言葉を選択し或いは文字を入力することによって、マイクロチップが処理してから防水スピーカを用いて音声出力して、水中にいるダイバ全員がその音声を受け取り、若しくはメッセージを直接にディスプレイパネルに表示してダイバに観賞させることにより、水中コミュニケーションを取る。また、文字入力や常用言葉の選択の際に、背景の輝度や文字の輝度を強化する方式によって、夜間ダイビングや視線不良の場合に、前記装置を使用することが可能になる。【選択図】      図１
0003103894.tif 000002
【実用新案登録請求の範囲】
【請求項１】
水中音声装置であって、
入力された文字を保存する文字保存手段と、
前記文字保存手段に保存された文字を音声信号に変換する処理する音声信号処理手段と、
前記音声信号処理手段からの音声信号を水中に音響出力する音声出力手段と、
を含むことを特徴とする水中音声装置。
【請求項２】
前記文字保存手段に保存された文字を表示する表示手段を更に含む請求項１に記載の水中音声装置。
【請求項３】
文字を入力するための文字入力手段をさらに含むことを特徴とする請求項１に記載の水中音声装置。
【請求項４】
前記文字入力手段は、水中のユーザがキーを操作することによって文字を受け取ることを特徴とする請求項１に記載の水中音声装置。
【請求項５】
前記文字入力手段は、水中のユーザがコントロールステックを使用することによって文字を受け取ることを特徴とする請求項１に記載の水中音声装置。
【請求項６】
前記文字保存手段は、入力された文字をメモリや磁性記録媒体に保存することを特徴とする請求項１に記載の水中音声装置。
【請求項７】
前記パネル表示手段の輝度は、調整可能であることを特徴とする請求項１に記載の水中音声装置。
【請求項８】
前記音声信号処理手段は、前記文字保存手段に保存されたデータを音声合成することを特徴とする請求項１に記載の水中音声置。
【請求項９】
前記音声出力手段の音量は調整可能であることを特徴とする請求項１に記載の水中音声装置。
【請求項１０】
前記音声出力手段は、前記音声を防水スピーカに出力することを特徴とする請求項１に記載の水中音声装置。
【考案の詳細な説明】
【技術分野】
【０００１】
本考案は、水中音声装置、特にダイバが新海中に他のダイバに対して音声放送と文字表示し、より明確で綺麗な音声放送及び文字表示装置を提供する。
【背景技術】
【０００２】
ダイビングの際に、二人以上のダイバが水中においてコミュニケーションしたい場合に、下記の方式を用いる。
(１)手：手は通常のコミュニケーション方法であり、簡単な手の動作で簡単な意思を表現できるが、複雑な意思を表現できない。代わりに手話でコミュニケーションをすれば、それぞれのダイバが手話の理解能力を持つという前提がなければならない。そしてダイバが手話に注目しない場合や、お互いの距離が長すぎ場合に、十分なコミュニケーションできないという問題があります。
【０００３】
(２)口話：ダイバの口は、常に呼吸ヘッドを噛んでエアータンクの空気を呼吸するため、直接に口で喋ると、音声が模糊し、呼吸に支障があるので、ダイビングの危険性が増える恐れがある。
【０００４】
(３)水中ワードボード：水中で「ワードボード」を使って書くという方式である。しかし、この方式では、人数が２〜３名のダイバの場合にしか適用しない。なお、お互いの距離が長すぎる場合、ダイバ一人一人に対してワードボードを展示する必要があるため、コミュニケーションの時間が増えるという問題がある。また、表現した意思はワードボードに書くのは、その書ける範囲が有限であり、予め常用の言葉を保存できない。さらに、ワードボードの文字を明白に読むには、相手の距離が至近の目視距離に限るため、コミュニケーションが不便である。
【０００５】
(４)簡単な音響：簡単な音声を発生し、皆の注意を集めるだけであり、意思など表現できないものである。
【０００６】
(５)水面まで浮上：ダイビング最中に、手、ワードボードなどでは意思を十分に表現できない場合、水面まで浮上してコミュニケーションしなければならない。しかし、ダイビング深度が深い場合、時間が無駄でエアータンクの空気も無駄に消耗する。
【０００７】
上述方法の欠点ため、ダイビングする時、意思を明白に迅速な表現できるコミュニケーション装置は、今も欠けている。
【考案の開示】
【考案が解決しようとする課題】
【０００８】
本考案は、前記旧来のコミュニケーション方式の問題点に鑑みて、現在の成熟なコンピュータ音声技術を利用することにより、水中コミュニケーションの様々な問題を解決でき、コミュニケーションにかかる時間を短縮可能で、より便利な水中コミュニケーション方式を提供する。
【０００９】
本考案の目的は、水中のダイバの人数、距離や深度などに構わなく、放送音量を適切に調整し、音声到達の範囲を制御するによって、範囲内のダイバ全員が送信者の音声と意思を明白に聞くことが可能となり、旧来の手、ワードボード、簡単な音響など意思表現不足や適用範囲が狭いという問題を解決する。
【００１０】
本考案の水平音声装置は、入力された文字を保存する手段、保存文字を音声信号に変換する手段及び音声信号を水平に音響出力する手段とからなる。より好適な実施例では、文字を入力する手段及び保存文字を表示するための表示手段が更に含まれる。
【実施例】
【００１１】
本考案の実施例を図１に示す。
文字入力部１として、常用される文字入力方法、例えば、（１）キーの数量によって、押す回数が代表する仮名やアクセントを決定する方式と、（２）方法キー、コントロールステック及び確認キーで所定の仮名やアクセントを選択する方式と、（３）タッチパネル上に手書きで文字入力してから文字認識する方式と、（４）他の文字入力方式とを、利用できる。
【００１２】
文字保存部２として、常用の言葉を、ＭＡＳＫＲＯＭ、ＰＲＯＭ、ＥＰＲＯＭ、ＥＥＰＲＯＭなどのＲＯＭに保存でき、或いは磁性記録媒体に保存でき、さらに、Ｌｉ電池からＳＲＡＭに電力供給し続く状態で保存する。一時的に入力された文字は、ＤＲＡＭ、ＳＲＡＭ、ＥＤＯＲＡＭなどのＲＡＭに保存し、電気が切れる時、ＲＡＭに保存された内容を自動的に削除することが構成できる。
【００１３】
ディスプレイパネル部３は、「文字入力部」から入力された文字、或いはＲＯＭに保存された言葉を表示し、背景の輝度や文字の輝度を強化する方式によって、夜間ダイビングや視線不良の場合に、前記装置を使用することが可能になる。
【００１４】
音声信号処理部４は、予め保存された文字として文字保存部２から取り出された文字、或いは入力された文字を、マイクロチップによって処理してから、（１）ＬＰＣ合成器、（２）formant合成器、（３）ＰＳＯＬＡ合成器など、音声信号処理方式で音声合成（speech synthesis）し、信号を音声出力部５に転送する。
【００１５】
音声出力部５は、マイクロチップ４で処理された音声合成信号を、防水と耐圧特性を持つ水中スピーカを用いて出力し、水中のダイバがその音声信号を受け取る。
【産業上の利用可能性】
【００１６】
本考案が提供する音声装置は、表現しようとする意思を、キーボードや、コントロールステック、手書きなど方式での文字入力、或いは予め保存した常用言葉を選択し、コンピュータマイクロチップの処理によって、防水スピーカで音声を水中に放送することにより、意思を明確に伝えると共に、文字をディスプレイパネルに表示することを選択することによって、近所のダイバが直接に見える。そして背景の輝度や文字の輝度を強化する方式によって、夜間ダイビングや視線不良の場合にも前記装置を使用することが可能になる。
【図面の簡単な説明】
【００１７】
【図１】「水中音声放送及び文字表示装置」の構成と関係を示す図である。
【図１】
0003103894.tif 000003